(57)【要約】【課題】防振用連結部材を手摺り子に対し傷つけることなく簡単容易に取り付けでき、十分な振動抑制機能を発揮させることができるようにした手摺りユニットを提供する。【解決手段】互いに所要間隔をおいて配置される複数の支柱１と、対向する両支柱１，１に固定され、横方向に延びる上下の横桟２，３とによって形成されるフレーム４内に、縦方向又は横方向に延びる多数の手摺り子５…が所要間隔おきに配置されて上下横桟２，３又は両支柱１，１に固定されてなる手摺りユニットである。フレーム４内の多数の手摺り子５…が、手摺り子５と直交する方向に延びる両側一対の防振用連結部材６，６により両連結部材６，６の夫々内側に配置される振動減衰部材７を介して手摺り子両面側から挟み付けられ、両連結部材６，６間に介装される複数の締付用ボルト８・ナット９で一体的に連結されている。【選択図】図２
2010024748.tif 000002
【特許請求の範囲】
【請求項１】
互いに所要間隔をおいて配置される複数の支柱と、対向する両支柱に固定され、横方向に延びる上下の横桟とによって形成されるフレーム内に、縦方向又は横方向に延びる多数の手摺り子が所要間隔おきに配置されて上下横桟又は両支柱に固定されてなる手摺りユニットであって、
前記フレーム内の多数の手摺り子が、手摺り子と直交する方向に延びる両側一対の防振用連結部材により両連結部材の夫々内側に配置される振動減衰部材を介して手摺り子両面側から挟み付けられ、両連結部材間に介装される複数の締付用ボルト・ナットで一体的に連結されてなる手摺りユニット。
【請求項２】
前記振動減衰部材はゴム材又は軟質合成樹脂材からなる請求項１に記載の手摺りユニット。
【請求項３】
前記一対の防振用連結部材の各連結部材には内側面の上端部側と下端部側とに振動減衰部材取付用の嵌合溝部が連結部材全長に亘って形成され、上下両嵌合溝部の中間にボルト挿通孔が形成され、上部側嵌合溝部には上部側振動減衰部材の裏面側に形成された取付部片が、また下部側嵌合溝部には下部側振動減衰部材の裏面側に形成された取付部片が夫々スライド可能に嵌合され、しかして一方の連結部材のボルト挿通孔から他方の連結部材のボルト挿通孔に亘って締付用ボルトが挿通され、その先端部にナットが螺合されるようになっている請求項１又は２に記載の手摺りユニット。
【請求項４】
前記一対の防振用連結部材の各連結部材には、内側面の上端部側と下端部側とに振動減衰部材取付用の嵌合溝部が連結部材全長に亘って形成されると共に、上下両嵌合溝部の中間にボルト頭嵌合溝部が連結部材全長に亘って形成され、上部側嵌合溝部には上部側振動減衰部材の裏面側に形成された取付部片が、また下部側嵌合溝部には下部側振動減衰部材の裏面側に形成された取付部片が夫々スライド可能に嵌合され、両連結部材の一方にはボルト頭嵌合溝部にボルト挿通孔が形成され、しかして他方の連結部材のボルト頭嵌合溝部にボルト頭を嵌合させた締付用ボルトが前記一方の連結部材のボルト挿通孔に挿通され、その先端部に袋ナットが螺合されるようになっている請求項１又は２に記載の手摺りユニット。
【発明の詳細な説明】
【技術分野】
【０００１】
本発明は、集合住宅のベランダ等に設置される手摺りユニットに関するものである。
【背景技術】
【０００２】
手摺りユニットは、互いに所要間隔をおいて配置される複数の支柱と、対向する両支柱に固定され、横方向に延びる上下の横桟とによって形成されるフレーム内に、縦方向又は横方向に延びる多数の手摺り子が所要間隔おきに配置されて上下横桟又は両支柱に固定されてなるものである。
【０００３】
ところで、例えば集合住宅のベランダに設置された手摺りユニットにおいては、手摺り子が風を受けることにより振動を生じて、風切音を発生するという問題があった。
【０００４】
この問題を解決するために、例えば特許文献１や特許文献２に記載されているように、振動減衰性能を有する物質により手摺り子に接着又は固着されて横方向に延びる振動防止用の桟を設けることが提案されている。これによると、手摺り子の振動が振動減衰性能を有する部材によって減衰され、手摺り子の振動による風切音の発生が抑制される。
【特許文献１】特開２００６−２００２１０号公報
【特許文献２】特開平１１−９３３６３号公報
【発明の開示】
【発明が解決しようとする課題】
【０００５】
ところが、例えば特許文献１にあっては、振動防止用の桟が振動減衰性能を有する物質により接着されているだけであるため、長期間使用中に接着力が劣化して振動防止用桟から剥離することがあり、また特許文献１のように振動防止用桟をビスによって手摺り子に取り付ける場合は、取付作業に非常に手間がかかる上に、手摺り子に傷がついて手摺り子のメッキや塗装が剥げて、手摺り子が早期に腐食するといった問題がある。更に、特許文献１及び特許文献２の何れも、振動防止用桟が手摺り子の片面側にしか接着されていないため、振動抑制機能が十分ではなかった。
【０００６】
本発明は、上記の事情に鑑み、防振用連結部材を手摺り子に対し傷つけることなく簡単容易に取り付けることができると共に、十分な振動抑制機能を発揮させることができるようにした手摺りユニットを提供することを目的とする。
【課題を解決するための手段】
【０００７】
上記課題を解決するための手段を、後述する実施形態の参照符号を付して説明すると、請求項１に係る発明は、互いに所要間隔をおいて配置される複数の支柱１と、対向する両支柱１，１に固定され、横方向に延びる上下の横桟２，３とによって形成されるフレーム４内に、縦方向又は横方向に延びる多数の手摺り子５…が所要間隔おきに配置されて上下横桟２，３又は両支柱１，１に固定されてなる手摺りユニットであって、
前記フレーム４内の多数の手摺り子５…が、手摺り子５と直交する方向に延びる両側一対の防振用連結部材６，６により両連結部材６，６の夫々内側に配置される振動減衰部材７を介して手摺り子両面側から挟み付けられ、両連結部材６，６間に介装される複数の締付用ボルト８・ナット９で一体的に連結されてなることを特徴とする。
【０００８】
請求項２は、請求項１に記載の手摺りユニットにおいて、前記振動減衰部材７はゴム材又は軟質合成樹脂材からなることを特徴とする。
【０００９】
請求項３は、請求項１又は２に記載の手摺りユニットにおいて、前記一対の防振用連結部材６，６の各連結部材６には内側面の上端部側と下端部側とに振動減衰部材取付用の嵌合溝部１０が連結部材６全長に亘って形成され、上下両嵌合溝部１０，１０の中間にボルト挿通孔１１が形成され、上部側嵌合溝部１０には上部側振動減衰部材７の裏面側に形成された取付部片７ｏが、また下部側嵌合溝部１０には下部側振動減衰部材７の裏面側に形成された取付部片７ｏが夫々スライド可能に嵌合され、しかして一方の連結部材６のボルト挿通孔１１から手摺り子５と手摺り子５の間を通って他方の連結部材６のボルト挿通孔１１に亘って締付用ボルト８が挿通され、その先端部にナット９が螺合されるようになっていることを特徴とする。
【００１０】
請求項４は、請求項１又は２に記載の手摺りユニットにおいて、前記一対の防振用連結部材６，６の各連結部材６には、内側面の上端部側と下端部側とに振動減衰部材取付用の嵌合溝部１０が連結部材全長に亘って形成されると共に、上下両嵌合溝部１０，１０の中間にボルト頭嵌合溝部１２が連結部材全長に亘って形成され、上部側嵌合溝部１０には上部側振動減衰部材７の裏面側に形成された取付部片７ｏが、また下部側嵌合溝部１０には下部側振動減衰部材７の裏面側に形成された取付部片７ｏが夫々スライド可能に嵌合され、両連結部材６，６の一方にはボルト頭嵌合溝部１２にボルト挿通孔１１が形成され、しかして他方の連結部材６のボルト頭嵌合溝部１２にボルト頭８ｏを嵌合させた締付用ボルト８が前記一方の連結部材６のボルト挿通孔１１に挿通され、その先端部に袋ナット１９が螺合されるようになっていることを特徴とする。
【発明の効果】
【００１１】
上記解決手段による発明の効果を、後述する実施形態の参照符号を付して説明すると、請求項１に係る発明によれば、フレーム内の多数の手摺り子５…が、両側一対の防振用連結部材６，６により両連結部材６，６の夫々内側に配置される振動減衰部材７を介して手摺り子５…の両面側から挟み付けられて、両連結部材６，６間に介装される複数の締付用ボルト８・ナット９で一体的に連結されるから、風を受けて生じる手摺り子５の振動が振動減衰部材７により減衰又は吸収されて、手摺り子５の振動による風切音の発生が抑制されるが、特に、手摺り子５…を一対の連結部材６，６により振動減衰部材７，７を介して手摺り子５…の両面側から挟み付けるため、従来の振動防止手段に比べ、格段にすぐれた振動抑制機能を発揮することができると共に、長期間使用しても振動減衰部材７は手摺り子５から剥離するおそれがなく、手摺り子５に確実に装着させることができる。そして、振動減衰部材７が劣化した時などは容易に交換することができる。
【００１２】
また、連結部材６を手摺り子５に取付け固定するボルト８は、両防振用連結部材６，６の間で手摺り子５と手摺り子５との間を通して介装されるから、手摺り子５を傷つけることなく連結部材６及び振動減衰部材７を手摺り子５に対し簡単容易に取付け固定することができる。
【００１３】
請求項２に記載のように、振動減衰部材７はゴム材又は軟質合成樹脂材からなるものが好ましい。
【００１４】
請求項３に係る発明によれば、連結部材６を手摺り子５に取付け固定するのに、一方の連結部材６のボルト挿通孔１１から手摺り子５と手摺り子５との間を通して他方の連結部材６のボルト挿通孔１１にボルト８を挿通し、その挿通端部にナット９を螺合して締め付けることにより、手摺り子５を傷つけることなく連結部材６及び振動減衰部材７を手摺り子５に簡単容易に取付け固定できる。
【００１５】
請求項４に係る発明によれば、連結部材６を手摺り子５に取り付けるボルト８の頭８ｏが連結部材６の内側に隠れてしまい、またボルト８の先端部は袋ナット１９によって隠れるから、外観上の体裁、見栄えが良好となる。
【発明を実施するための最良の形態】
【００１６】
以下に本発明の好適な一実施形態を図面に基づいて説明すると、図１は本発明に係る手摺りユニットをベランダの外側から見た正面図であり、図２は図１のＸ−Ｘ線拡大断面図、図３は図１のＹ−Ｙ線拡大断面図である。この手摺りユニットは、集合住宅のベランダの立ち上り壁Ｔ上に互いに所要間隔をおいて配置される複数の支柱１と、対向する両支柱１，１に固定され、横方向に延びる上下の横桟２，３とによって形成されるフレーム４内に、縦方向に延びる多数の手摺り子５が所要間隔おきに配置されて上下横桟２，３に固定されてなるもので、フレーム４内の多数の手摺り子５は、手摺り子５と直交する方向に延びる両側一対の防振用連結部材６，６により両連結部材６，６の夫々内側に配置される振動減衰部材７を介して手摺り子５，５両面側から挟み付けられ、両連結部材６，６間に介装される複数の締付用ボルト８・ナット９で一体的に連結されている。このナット９は、袋ナットに限らず、普通のナットでもよい。
【００１７】
一対の防振用連結部材６，６は夫々、アルミ押出形材からなるもので、図２に示すように、各連結部材６には内側面の上端部側と下端部側とに振動減衰部材取付用の嵌合溝部１０，１０が連結部材６の全長に亘って形成され、上下両嵌合溝部１０，１０の中間には、連結部材６の長さ方向所要間隔おきにボルト挿通孔１１が穿設され、上部側嵌合溝部１０には上部側振動減衰部材７の裏面側に形成された略々Ｔ字状の取付部片７ａが、また下部側嵌合溝部１０には下部側振動減衰部材７の裏面側に形成された取付部片７ａが夫々スライド可能に嵌合されている。
【００１８】
各防振用連結部材６は、対向する両手摺支柱１，１の対向側面間の長さより僅かに短い長さに形成されていて、図３に示すように、連結部材６の端面と手摺支柱１の対向側面との間に僅かに隙間Ｓができるようにしている。また、各防振用連結部材６に設けられるボルト挿通孔１１は、図１から分かるように、手摺り子５のピッチの例えば２倍のピッチで穿設されている。
【００１９】
各振動減衰部材７は、手摺り子５の振動を減衰又は吸収する性能を有するもので、クロロプレンゴム、エチレンゴム、プロピレンゴム等のゴム材、又はシリコン樹脂、ポリ塩化ビニル樹脂等の軟質合成樹脂材によって長尺帯状に形成され、これらのゴム材又は軟質合成樹脂材は弾性を有する点で、振動減衰部材７の形成材料としてより好ましい。図２に示すように、各振動減衰部材７の表面には複数条の滑り止め用凹溝７ａが振動減衰部材７の全長に亘って形成されている。
【００２０】
しかして、防振用連結部材６を手摺り子５に取り付けるには、内側面の上下部に振動減衰部材７を夫々取り付けた一対の防振用連結部材６，６を、フレーム４内の多数の手摺り子５…の両側に配置して、これらの手摺り子５…を挟み付けた状態とし、かかる状態で、一方の連結部材６のボルト挿通孔１１から手摺り子５と手摺り子５との間を通して他方の連結部材６のボルト挿通孔１１にボルト８を挿通し、その挿通端部にナット９を螺合して締め付けることにより、多数の手摺り子５…を両連結部材６，６の夫々内側に配置した振動減衰部材７を介して手摺り子５両面側から挟着して、これらの手摺り子５…を一体的に連結し、図１〜３に示すような状態とする。
【００２１】
上記のように、フレーム内の多数の手摺り子５…が、両側一対の防振用連結部材６，６により両連結部材６，６の夫々内側に配置される振動減衰部材７を介して手摺り子５…の両面側から挟み付けられて、両連結部材６，６間に介装される複数の締付用ボルト８・ナット９で一体的に連結されることにより、風を受けて生じる手摺り子５の振動が振動減衰部材７により減衰又は吸収されて、手摺り子５の振動による風切音の発生が抑制されるわけであるが、特に、手摺り子５…を両側一対の連結部材６，６により振動減衰部材７，７を介して手摺り子５…の両面側から挟み付けるから、従来の振動防止手段に比較すると、不思議なくらい風切音を消失させることができる。
【００２２】
また、連結部材６を手摺り子５に取付け固定するのに、一方の連結部材６のボルト挿通孔１１から手摺り子５と手摺り子５との間を通して他方の連結部材６のボルト挿通孔１１にボルト８を挿通し、その挿通端部にナット９を螺合して締め付けるから、手摺り子５を傷つけることなく連結部材６及び振動減衰部材７を手摺り子５に簡単容易に取付け固定することができる。
【００２３】
また、各防振用連結部材６及び振動減衰部材７が図２に示すような構造となっているから、各連結部材６の上端部側と下端部側に取り付けられる両振動減衰部材７，７を少ないボルト８・ナット９によって手摺り子５に対して的確に取付け固定させることができる。また、ボルト８を取り外すことにより、振動減衰部材７の交換も容易に可能となる。
【００２４】
図４は他の実施形態による防振用連結部材６及び振動減衰部材７を示すものであって、図２に示す実施形態とほとんど同様であるが、各防振用連結部材６が、ボルト挿通孔を有する代わりに、ボルト８の頭部８ｏをスライド可能に嵌合させるボルト頭部嵌合溝部１２を有する点が図２に示す実施形態と異なる。尚、図２に示す実施形態と同一部材には同一符号を付している。
【００２５】
即ち、この図４の実施形態において一対の防振用連結部材６，６の各連結部材６には、内側面の上端部側と下端部側とに振動減衰部材取付用の嵌合溝部１０が連結部材全長に亘って形成されていると共に、上下両嵌合溝部１０，１０の中間にボルト頭嵌合溝部１２が連結部材６の全長に亘って形成され、上部側嵌合溝部１０には上部側の振動減衰部材７の裏面側に形成された取付部片７ｏが、また下部側嵌合溝部１０には下部側振動減衰部材７の裏面側に形成された取付部片７ｏが夫々スライド可能に嵌合され、両連結部材６，６の一方にはボルト頭嵌合溝部１２にボルト挿通孔１１が形成され、しかして他方の連結部材６のボルト頭嵌合溝部１２にボルト頭８ｏをスライド可能にして且つ回転不能に嵌合させた締付用ボルト８が前記一方の連結部材６のボルト挿通孔１１に挿通され、その先端部に袋ナット９が螺合されるようになっている。
【００２６】
従って、この図４の実施形態によれば、連結部材６を手摺り子５に取り付けるボルト８の頭８ｏが連結部材６の内側に隠れてしまい、またボルト８の先端部は袋ナット９によって隠れるから、外観上の体裁、見栄えが良好となる。この場合、袋ナット９側がベランダの屋内側に位置するようにする。
【００２７】
以上説明した実施形態の手摺りユニットは、フレーム４内に、縦方向に延びる多数の手摺り子５…を所要間隔おきに配置して上下横桟２，３に固定したものであるが、フレーム４内に、横方向に延びる多数の手摺り子を所要間隔おきに配置して対向する支柱１，１に固定したものでもよい。
【図面の簡単な説明】
【００２８】
【図１】本発明の一実施形態による手摺りユニットをベランダの外側から見た正面図である。
【図２】図１のＸ−Ｘ線拡大断面図である。
【図３】図１のＹ−Ｙ線拡大断面図である。
【図４】他の実施形態による手摺りユニットを示す図２と同様な断面図である。
【符号の説明】
【００２９】
１            支柱
２，３        上下の横桟
４            フレーム
５            手摺り子
６            防振用連結部材
７            振動減衰部材
７ｏ          取付部片
８            締付用ボルト
９            ナット（袋ナット）
１０          振動減衰部材取付用の嵌合溝部
１１          ボルト挿通孔
１２          ボルト頭嵌合溝部
【図１】
2010024748.tif 000003
【図２】
2010024748.tif 000004
【図３】
2010024748.tif 000005
【図４】
2010024748.tif 000006